(57)【要約】【課題】取付けの対象が軟弱壁面であっても、フック、棚類、ハンガー類等の掛止体をピン止めの簡単な作業で強力に取り付けることができ、強度的に信頼性があり体裁も良好である壁面セッティング装置を提供する。【解決手段】壁面に沿って固着する添着組柱がフックや棚類、ハンガー等の掛止体をセットする主体であって、該添着組柱は、チャンネル形の口両側にガイド鍔が形成された押出形材からなる長尺の基部材と、その両ガイド鍔に両側端でスライド可能に係合させ得るよう押出による蟻溝形を共通とし直列して前面カバーとなる多数の面板との組合せからなり、さらに、基部材を壁面に押し止める固着手段を設け、また、基部材の前面をカバーする直列の面板のうち、一部面板が掛止体を取り付けるセット用であることを特徴とする。【選択図】    図１
2014039632.tif 000002
【特許請求の範囲】
【請求項１】
壁面に沿って固着する添着組柱がフックや棚類、ハンガー等の掛止体をセットする主体であって、該添着組柱は、チャンネル形の口両側にガイド鍔が形成された押出形材からなる長尺の基部材と、その両ガイド鍔に両側端でスライド可能に係合させ得るよう押出による蟻溝形を共通とし直列して前面カバーとなる多数の面板との組合せからなり、さらに、基部材を壁面に押し止める固着手段を設け、また、基部材の前面をカバーする直列の面板のうち、一部面板が掛止体を取り付けるセット用であることを特徴とする壁面セッティング装置。
【請求項２】
前記固着手段は、基部材を壁面に押し止める主ピン付きピンピースを具備し、且つ、上下両端で面板のスライドを止めるキャップを備えてなり、前記ピースに裏面中央に広く低い凸部を有し、基部材の底面には、ピンピースの凸部が浅く突入する定着用の抜穴が設けてあり、ピンピースには、さらに、副ピンの通し孔を下向き傾斜に設けたことを特徴とする請求項１記載の壁面セッティング装置。
【請求項３】
セット用の面板は、外側面の幅中央に中空の支持片を突設し、支持片の先端部にフック等を軸受け可能にポケットを形成してあることを特徴とする請求項１又は２記載の壁面セッティング装置。
【請求項４】
左右一対の添着組柱において、左右に相対応するセット用の両面板に棚板を支持する手段として、その面板に固定ネジで止められる一対のアームを具備し、アームは、金属板をプレス加工して外角が逆Ｌ字形であって棚板の受片が屈折して設けられ、受片に左右方向の長孔を形成したことを特徴とする請求項３記載の壁面セッティング装置。
【請求項５】
左右一対の添着組柱において、左右に相対応して対となるセット用の両面板に、パイプを倒伏Ｕ字形に折り曲げてなる掛けバーを取り付け、掛けバーの両端部が両面板に突出して支持されるように構成したことを特徴とする請求項１，２又は３記載の壁面セッティング装置。
【発明の詳細な説明】
【技術分野】
【０００１】
この発明は、壁面が釘づけやビス止めに適しない石膏ボードや、発泡樹脂、桐材等の軟質材である場合に、その壁面に支持してフックや陳列棚、ハンガー等を装着するための壁面セッティング装置に関する。
【背景技術】
【０００２】
従来、帽子等を掛けるフックを壁面または柱に取り付けるには、壁面等に当たる基板に一体に突設されたフックを使用し、その基板を壁面に釘づけ又はネジ止めしていた。また、棚板を取り付ける場合であると、棚板を受けるＬ字形に形成された左右一対のアームを使用し、両アームを壁面等に釘づけまたはビス止めしていたが、現在、体裁や断熱性等を考慮して石膏ボードや発泡樹脂等の軟質壁面を採用することが多くなっており、これに対して釘づけやビス止めが効かないために、フックの取付けや食器棚等の据え付けが強度的に（釘づけやビス止め以上に強固に）できなくなっているという問題があった。
【０００３】
一方、本出願人においては、これまでの数多くの実験から、石膏ボード等の軟質壁面に対しては、釘やビス等を用いるよりも固定ピンの差し込みにより強力な支持力を確保できるという知見を得ていた。
【発明の概要】
【発明が解決しようとする課題】
【０００４】
軟弱壁面に対するピン止めが上記の通り十分に強力な固定力を確保できることは既に分かっていたが、ピン止めの外観をむきだしに見た感じでは、細いピンの止め方のため、客観的に見て強度的信頼性および体裁が得られるとは考えられなかった。
【０００５】
この発明は、上記のような実情に鑑みて、取付けの対象が軟弱壁面であっても、フック、棚類、ハンガー類等の掛止体をピン止めの簡単な作業で強力に取り付けることができ、強度的に信頼性があり体裁も良好である壁面セッティング装置を提供することを課題とした。
【課題を解決するための手段】
【０００６】
上記の課題を解決するために、この発明は、壁面に沿って固着する添着組柱がフックや棚類、ハンガー等の掛止体をセットする主体であって、該添着組柱は、チャンネル形の口両側にガイド鍔が形成された押出形材からなる長尺の基部材と、その両ガイド鍔に両側端でスライド可能に係合させ得るよう押出による蟻溝形を共通とし直列して前面カバーとなる多数の面板との組合せからなり、さらに、基部材を壁面に押し止める固着手段を設け、また、基部材の前面をカバーする直列の面板のうち、一部面板が掛止体を取り付けるセット用であることを特徴とする壁面セッティング装置を提供する。
【０００７】
また、前記固着手段については、基部材を壁面に押し止める主ピン付きピンピースを具備し、且つ、上下両端で面板のスライドを止めるキャップを備えてなり、前記ピースに裏面中央に広く低い凸部を有し、基部材の底面には、ピンピースの凸部が浅く突入する定着用の抜穴が設けてあり、ピンピースには、さらに、副ピンの通し孔を下向き傾斜に設けたことを特徴とする請求項１記載の壁面セッティング装置を提供する。
【０００８】
壁面セッティング装置を上記のように構成したから、これを使用するには、壁面に必要な本数の添着組柱を組み付けるとともに、これに対してフック、棚類、ハンガー類等の掛止体を装着し若しくは組み立てる。添着組柱の組み付けについては、まず、下端キャップを取り付けたまま基部材を壁面にピンピースにより固着してから、面板を順次上から挿入し、上端にキャップ面板を嵌着し固着する。これで、ピン止めの態様が見えないように封じられ、同時に面板の配列を固定化し、掛止体を強力に支持できる。
【発明の効果】
【０００９】
以上説明したように、この発明の壁面セッティング装置によれば、取付けの対象が軟弱壁面であっても、ピン止めにより十分な強度で取り付けることができることはもちろん、それが内部止めであるため体裁が良好であり、期待されるに十分な強度的信頼性が得られやすく、また、添着組柱の本数と、セット用の面板の種類と配置等によりフックや棚類、ハンガー等の掛止体の取付け態様が多様となりうるという優れた効果がある。
【図面の簡単な説明】
【００１０】
【図１】この発明の壁面セッティング装置を一部分解して示す斜視図である。
【図２】同壁面セッティング装置の添着組柱を組み付け状態で示す正面図である。
【図３】添着組柱の上下両端を止めるキャップについて示す分解断面の斜視図である。
【図４】図２のＡ−Ａ線矢視の拡大断面図である。
【図５】同じくＢ−Ｂ線矢視の拡大断面図である。
【図６】掛止体の他の例を示す斜視図である。
【図７】同掛止体を示す側面図である。
【図８】掛止体のさらに他の例を示す一部斜視図である。
【図９】同掛止体を示す側面断面図である。
【発明を実施するための形態】
【００１１】
この発明において、壁面セッティング装置Ｐには原則として左右一対において添着組柱１、１が使用されるが、一の独立において使用する場合もある（図１、図２参照）。
【実施例１】
【００１２】
図１ないし図５は、一実施例を示したもので、その壁面セッティング装置Ｐは、壁面Ｗに対する添着組柱１とそれにセットするフック７とからなる。添着組柱１は、アルミ押出形材からなるチャンネル形の基部材２が通しに使用され、これに全長にわたって全面を塞ぐように装着されるシンプル面板３，セット用面板５，上端キャップ面板６等からなる。これら面板については、押出によるアリ溝形を共通形状とするものである。
【００１３】
基部材２は、アルミ押出形材からなるチャンネル形であって、面板３，５，６、７を装着するために前面開放口の両側に外側へ開くガイド鍔１０，１０を設け、ガイド鍔１０，１０は先端部が前方へ起立する断面Ｌ字形に形成される。そして、間隔をおいて、ピンピース１１，１１、・・と、これに付随する副ピン１３，１３・・により壁面Ｗに止められる。
【００１４】
ピンピース１１は、中心ピン１２の頭部がプラスチックで膨大した台状に形成され、頭部としてのピース１１に左右対にして副ピン１３，１３の通し孔１５，１５が交差状に形成されたもので、また、ピースには底面に中心部が円形にやや突出する凸部１７を設けてある。
【００１５】
図４，５は、壁面Ｗに基部材２をピン止めした状態を示したもので、基部材２の底面に予め凸部１７が嵌る抜穴２１を設け、凸部１７に副ピン１３の通し孔１５を設けてある。そこで、中心ピン１２を壁面Ｗに刺しこむことにより凸部１７を抜穴２１に定着させてから、副ピン１３，１３を差し込むことにより、ピース１１で基部材２の底面が確実に押えつけられる。なお、左右副ピン１３，１３の差し込みは、斜め下向きであると荷重に耐えやすく、二股交差であると抜けがたいためにそのような差し込み形態をとっている。
【００１６】
上記のように基部材２を壁面Ｗに取り付けるには、予め下端キャップ９ｂが取り付けられた状態にしておく。そして、上端からそれぞれの面板３、５、・・、６を挿入するとこれらが脱落することのないように上端キャップ９ａがストッパーとなる。挿入はガイド鍔１０，１０とのスライド可能な係合によるもので、シンプル面板３、セット面板５およびキャップの面板６のアリ溝形は、それぞれこの係合形状を備えている同一断面形状である。しかし、セット面板５は、基部板２の幅中央部に中空の支持片２３を突設してあり、その先端部にフック７の基軸２８を差し込むポケット２５が形成される。
【００１７】
キャップ面板６は、基部材１の端面を封じるキャップ９ａを取り付けたもので、キャップ９ａには取付片３０を屈折して設けられ、その面板６の裏面にそれが接着して一体化される。そして、その一体化の部分に押ネジ３１の螺入孔３３が設けられる。したがって、面板６をキャップ９ａと一体に押ネジ３１で固定することができ、これでキャップ９ａ、９ｂの間に各面板６，５又は３・・が直列に保持される。なお、上下キャップ９ａ、９ｂは取付片３０を有する略Ｔ字形であって、下端キャップ９ｂの場合であると、取付片３０がビス３２で基部材２の底面にネジ止めされる。
【００１８】
この実施例の場合、壁面セッティング装置Ｐは、基本的には１本において使用し、セット面板５の支持片２３の先端のポケット２５にフック７を差し込んで、フック７に帽子等を掛けて使用する。しかし、以下の実施例は左右一対において使用する場合を示す。
【実施例２】
【００１９】
図６及び図７は、他の実施例を示し、壁面セッティング装置Ｐは、前記実施例とは違って、一対において添着組柱１、１が壁面Ｗにピン止めされる。シンプル面板３とセット面板５と、キャップ面板６が用いられるが、左右においてセット面板５，５が対等位置であって、その両セット面板５，５にアーム３７，３７を介して棚板３９が掛けられる。
【００２０】
アーム３７は、金属板にプレス加工を施すことにより形成され、外角が逆Ｌ字形であって、上端に棚板３９を受ける水平な受片４１が設けられ、受片４１に棚板３９の止ネジ４３，４３の通し孔４５，４５を長孔にして設けてある。
【００２１】
組立てについては、支持片２３の側面に上下二段にタップ孔４６，４６を開けておくことにより、それに螺入する固定ネジ４７、４７によりアーム３７，３７が固定される。
【実施例３】
【００２２】
図８及び図９は、さらに別の実施例を示し、パイプを倒伏Ｕ字形に形成された掛けバー５１の基端部にアリ溝形の基本のセット面板５，５を固着し、左右添着組柱１、１の間に掛けバー５１が架設される。セット面板５の固定については、その裏側から支持ネジ５３がパイプ内に螺入される。
【符号の説明】
【００２３】
Ｐ  壁面セッティング装置
１  添着組柱
２  基部材
３  シンプル面板
５  セット面板
６  上端キャップ面板
７  フック
９ａ、９ｂ  キャップ
１０  ガイド鍔
１１  ピンピース
１２  中心ピン
１３  副ピン
１５  通し孔
１７  凸部
２１  抜穴
２３  支持片
２５  ポケット
３７  アーム
３９  棚板
４１  受片
５１  掛けバー
【図１】
2014039632.tif 000003
【図２】
2014039632.tif 000004
【図３】
2014039632.tif 000005
【図４】
2014039632.tif 000006
【図５】
2014039632.tif 000007
【図６】
2014039632.tif 000008
【図７】
2014039632.tif 000009
【図８】
2014039632.tif 000010
【図９】
2014039632.tif 000011